(57)【要約】      （修正有）【課題】従来のカードソケットに確実性の高い飛び出し防止機構を設けて、更に、操作性を向上させる。【解決手段】一端側開口部からシムカードを収納する収納部を有するソケット１の前記収納部１ａにおける内側側面に、レバー基部２ｆが当該収納部の内側側面に固定され、前記レバー基部からレバー本体２ｄが前記収納部の内側側面に沿って伸び、該レバー本体のレバー先端部２ｅが、前記収納部に収納される前記シムカードの側面に弾性的に当接して当該シムカードが前記収納部に挿入されていることを検知する導電性弾性体の半差し検知レバー２ｉを有し、前記半差し検知レバー２ｉの先端部には、前記ソケットの一端開口部側の該シムカード１０の隅部におけるカット部１２のカット面に沿った形状に形成されて、前記シムカード１０が収納部１ａに完全に収納された時に前記シムカード１０が前記収納部１ａから抜け出すのを阻止する係合部２ａが設けられている。【選択図】図１
2012079255.tif 000002
【特許請求の範囲】
【請求項１】
一端側開口部からシムカードを収納する収納部を有するソケットの前記収納部における内側側面に、
レバー基部が当該収納部の内側側面に固定され、
前記レバー基部からレバー本体が前記収納部の内側側面に沿って伸び、
該レバー本体のレバー先端部が、前記収納部に収納される前記シムカードの側面に弾性的に当接して当該シムカードが前記収納部に挿入されていることを検知する導電性弾性体の半差し検知レバーを有し、
前記半差し検知レバーの先端部には、前記ソケットの一端開口部側の該シムカードの隅部におけるカット部のカット面に沿った形状に形成されて、前記シムカードが収納部に完全に収納された時に前記シムカードが前記収納部から抜け出すのを阻止する係合部が設けられていること、
を特徴とするカードソケットのカードロック機構。
【請求項２】
レバー先端部の係合部は、シムカードのカット部におけるカット面に沿った形状の途中に、飛び出し防止作用とクリック感とが得られるように、前記カット部の角部が係合する段部が形成されていること、
を特徴とする請求項１に記載のカードソケットのカードロック機構。
【発明の詳細な説明】
【技術分野】
【０００１】
本発明は、カーナビゲーション機器や携帯電話に使用される、ＳＩＭ（シム）カードなどのＩＣカードを装着するカードソケットにおけるカードロック機構に関するものである。
【背景技術】
【０００２】
上記ＳＩＭカード（シムカード、Subscriber Identity Module Card：以下同じ）とは、ＧＳＭやＷ−ＣＤＭＡ等の方式の携帯電話で使われている電話番号を特定するための固有のID番号が記録されたＩＣカードである。このシムカード１０は、図５に示すように、ＩＳＯ／ＩＥＣ７８１６規格の接触型ＩＣカードであり、その形状については、ＩＳＯ７８１０のＩＤ−０００で規定され幅１５ｍｍ×奥行き２５ｍｍ×厚み０．７６ｍｍ程度である。図中の符号１１は電極のパッドを示し、符号１２は、形状特定用の切欠き部を示している。そして、図６に示すカードソケット１３が前記シムカード１０を装着するためのソケットである。カード抜き差し用に三日月型に形成された開口部が前側である。
【０００３】
図７（Ａ）に示すように、前記カードソケット１３は、プリント基板等１４に半田付けされて固定されており、このカードソケット１３自体には、カード飛出し機構が備わっておらず、シムカード１０をカードソケット１３に挿入後に、筐体若しくはバッテリー１５等で抑えて、シムカード１０の飛び出しを防止している。
【０００４】
また、他の例では、図７（Ｂ）に示すように、カード収納用の内部空間に、側面側若しくは下面側にシムカード１０を押圧するようなカード保持部が設けられて、且つ、シムカード１０のソケットからの飛び出しを防止するようにスロープ兼ストッパ１６を設けた構造のものが知られている（特許文献１参照）。Ａ方向に挿入したシムカード１０がＢ方向に抜け出さないように、前記ストッパ１６の端面が当接しているものである。
【先行技術文献】
【特許文献】
【０００５】
【特許文献１】特開２００４−１２６８７７号公報
【発明の概要】
【発明が解決しようとする課題】
【０００６】
しかし、従来のカードソケットのカードロック機構においては、カードソケット自体にカード飛び出し防止機構が備わっておらず、他の部品であるバッテリーなどによってカード飛び出しを防止するものであるので、カードソケットの自由配置に障害となり、同時に前記バッテリーなどの配置にも制約ができてしまう。このようにシムカードソケットにカード飛び出し防止機構を備えることと、他の備品等の配置を制限しないようにすることが従来の課題となっている。本発明に係るカードソケットのカードロック機構は、このような課題を解決するために提案されたものである。
【課題を解決するための手段】
【０００７】
本発明に係るカードソケットのカードロック機構の上記課題を解決して目的を達成するための要旨は、一端側開口部からシムカードを収納する収納部を有するソケットの前記収納部における内側側面に、レバー基部が当該収納部の内側側面に固定され、前記レバー基部からレバー本体が前記収納部の内側側面に沿って伸び、該レバー本体のレバー先端部が、前記収納部に収納される前記シムカードの側面に弾性的に当接して当該シムカードが前記収納部に挿入されていることを検知する導電性弾性体の半差し検知レバーを有し、前記半差し検知レバーの先端部には、前記ソケットの一端開口部側の該シムカードの隅部におけるカット部のカット面に沿った形状に形成されて、前記シムカードが収納部に完全に収納された時に前記シムカードが前記収納部から抜け出すのを阻止する係合部が設けられていることである。
【０００８】
また、前記レバー先端部の係合部は、シムカードのカット部におけるカット面に沿った形状の途中に、飛び出し防止作用とクリック感とが得られるように、前記カット部の角部が係合する段部が形成されていることを含むものである。
【発明の効果】
【０００９】
本発明のカードソケットのカードロック機構によれば、シムカードのカット部を利用して弾性的に当接する係合部を有する半差し検知レバーにより、ソケットに収納されたシムカードの飛び出しを阻止することができる。
また、前記レバー先端部の係合部は、シムカードのカット部におけるカット面に沿った形状の途中に、前記カット部の角部が係合する段部が形成されているので、この段部に収納中のシムカードのカット部が落ち込んで、クリック感が得られると共に、抜け出し防止となる、と言う優れた効果を奏するものである。
【図面の簡単な説明】
【００１０】
【図１】本発明に係るカードソケット１のカードロック機構の第１実施例における使用状態を示す説明図（Ａ），（Ｂ）である。
【図２】同本発明のカードソケット１のカードロック機構の第２実施例を示す裏面から見た斜視図（Ａ）と表から見た斜視図（Ｂ）とである。
【図３】第２実施例におけるレバー２の一部拡大斜視図である。
【図４】同第２実施例に係る使用状態の説明図（Ａ），（Ｂ），（Ｃ）である。
【図５】シムカード１０の表裏面の斜視図である。
【図６】従来例に係るカードソケット１３の表裏面から見た斜視図である。
【図７】同従来例に係るカードソケット１３を使用した例の説明図（Ａ）と、その一部縦断面図（Ｂ）とである。
【発明を実施するための形態】
【００１１】
本発明に係るカードソケット１のカードロック機構は、図１（Ａ），（Ｂ）に示すように、弾性体の半差し検知レバー２ｉの先端部に設けた係合部２ａで、ソケット１の収納部１ａに収納されたシムカード１０の飛び出しを防止するものである。
【実施例１】
【００１２】
前記カードソケット１のカードロック機構は、図１（Ａ），（Ｂ）に示すように、一端側開口部１ｂからシムカード１０を収納する収納部１ａを有するソケット１の前記収納部における内側側面に、レバー基部２ｆが当該収納部１ａの内側側面に固定されている。該レバー基部２ｆから延設されて、レバー本体２ｄが前記収納部１ａの内側側面に沿って伸びており、そのレバー先端部２ｅが、収納部１ａに収納される前記シムカード１０の側面１０ａに弾性的に当接して当該シムカード１０が前記収納部１ａに挿入されていることを検知する。このような導電性弾性体である半差し検知レバー２ｉを有している。
【００１３】
この半差し検知レバー２ｉのレバー先端部２ｅには、前記シムカード１０が収納部１ａに完全に収納された時に該シムカード１０の隅部におけるカット部１２のカット面に沿って係合して、このシムカード１０が前記収納部１ａから抜け出すのを阻止する段部２ｃを有する係合部２ａが設けられており、その先には導入部２ｂが設けられている。
【００１４】
前記カードソケット１は、図２（Ａ），（Ｂ）に示すように、矩形平板状のシムカード１０を収納する収納部１ａを有した、合成樹脂製のソケットであり、プリント基板に載置する際の位置決めボス１ｃと、電気信号伝達用のコンタクト１ｄと、基板固定用のホールドダウン１ｅと、検知用コンタクト３，４とを有している。
【００１５】
前記検知用コンタクト３，４は、前記収納部１ａの挿抜方向に直交する片側に位置していて、シムカード１０が収納部に挿入されたか否かを電気的に導通させて、判断できるようにするためのコンタクトである。前記一端側開口部１ｂは、シムカード１０の端部を指で捕まえ易くするために、円弧状に形成されている。
【００１６】
前記半差し検知レバー２ｉは、図１（Ａ），（Ｂ）に示すように、レバー基部２ｆが前記カードソケット１の側方において支持されるようになっており、そのレバー基部２ｆからレバー本体２ｄが抜き方向に延びている。そのレバー先端部２ｅには、前記係合部２ａが斜めに屈曲されて形成され、その先端には、シムカード１０に衝突した際に側方に逃げるように、導入部２ｂが屈曲され形成されている。前記係合部２ａは、シムカード１０のカット部１２に収納状態において、所定形状に決められたカット面に沿うように角度が設定されている。
【００１７】
前記レバー基部２ｆからは、挿入方向に伸びる差込完了の検知をする差込完了検知レバー２ｊを構成するレバー本体２ｈがある。該レバー本体２ｈの先端部にはシムカード１０の奥側の隅部で外側に押し込まれる、屈曲した係合部２ｇが形成されている。
【００１８】
この実施例では、前記半差し検知レバー２ｉと、差込完了検知レバー２ｊとを、一体の導電体金属製レバー２にしているが、これは、シムカード１０が収納されたことによって、前記レバー基部２ｆを中心に外側に先端部の係合部２ａおよび係合部２ｇが押されて撓み、それぞれ検知用コンタクト３，４とに当接することで電気的に導通して、検知するようにしているからである。よって、シムカード１０が収納部１ａの奥まで差し込まれて、両検知コンタクト３，４が前記検知レバー２ｉ，２ｊを介して導通したときに、差込完了が検知される。
【００１９】
また、前記検知レバー２ｉ，２ｊを別体にして、それぞれ検知用コンタクト３，４と電気的に導通して、別々に検知するようにしても良い。この場合には、シムカード１０が収納部１ａに収納されると、最初は半差し検知レバー２ｉの係合部２ａが検知用コンタクト４に当接して電気的に導通し、半差しが検知される。次に、シムカード１０が奥まで差し込まれると差込完了検知レバー２ｊの係合部２ｇが検知用コンタクト３に当接して電気的に導通し差込完了が検知される。
【００２０】
本発明の第２実施例は、図２乃至図３に示すように、前記レバー先端部２ｅにおける係合部２ａの、カット面に沿った形状の途中において、凹ませた段部２ｃを設けたものである。
【００２１】
前記段部２ｃは、レバー先端部２ｅにおいて、斜めに直線形状の係合部２ａの中間部当たりに、シムカード１０側から反対側に遠ざかるように曲線的な凹部を形成したものである。
【００２２】
これにより、図３に示すように、収納しようとするシムカード１０が最初に当接する導入部２ｂと前記段部２ｃとの間に一つ目の山２ｋができて、これにより半差し検知レバー２ｉが変位（カードソケット１の側面において外側に変位）する。そして、シムカード１０が収納された状態で前記段部２ｃに前記カット部１２が来ると、前記係合部２ａが、二つめの山２ｍまで外側から内側へと変位が戻る。この戻る際に、クリック感が得られるものである。
【００２３】
これを、図４を参照して説明する。同図４（Ａ）に示すように、シムカード１０（説明の便宜上、裏面を見せて示す）をカードソケット１の開口部１ｂから所定の面を向けて収納部１ａに差し込む。前記収納部１ａにおける側方の検知レバー２ｉ，２ｊは検知用コンタクト３，４との接触が無く、導通がないので検知されていない。
【００２４】
図４（Ｂ）に示すように、収納部１ａにシムカード１０を収納している途中では、シムカード１０の片側面１ｆによって半差し検知レバー２ｉの先端部２ｅにおける一つ目の山２ｋが外側に押されて変位している。そして、検知用コンタクト４と接触している。しかし、差込完了検知レバー２ｊが検知用レバー３に当接していないので、電気的な導通が無く、基板状の検知回路がＯＮにならないので、シムカード１０を検知していない。
【００２５】
次に、図４（Ｃ）に示すように、収納部１ａにシムカード１０が完全に収納されると、シムカード１０の奥側の角部１０ｂが、差込完了検知レバー２ｊの係合部２ｇに当たって外側に押し出す。それによって、差込完了検知レバー２ｊが検知用コンタクト３に当接する。又、シムカード１０のカット部１２が、段部２ｃに落ち込み、二つ目の山２ｍで止まる。これにより、シムカード１０の外部への飛び出しが防止される。
【００２６】
更に、前記段部２ｃに落ち込むときにクリック感が得られると共に、半差し検知レバー２ｉのレバー本体２ｄが、内側に戻ったものの、検知用コンタクト４に当接している。よって、半差し検知レバー２ｉと差込完了検知レバー２ｊとでなるレバー２が前記検知用コンタクト３，４に同時に当接して導通するので、プリント基板上の検知回路がＯＮとなって、シムカード１０が収納されたことが検知される。
【００２７】
以上のように、シムカード１０を収納するカードソケット１において、差込完了検知レバー２ｊ以外に、半差し検知レバー２ｉを設けて半差し状態であること、若しくは、半差し状態でないことが検知できると共に、シムカード１０の差込時にクリック感も得られるようにしたものである。
【産業上の利用可能性】
【００２８】
本発明に係るカードソケット１は、シムカードなどの平板状のカードに所定のカット部があるものを収納するカードソケットに広く適用できる。
【符号の説明】
【００２９】
１          カードソケット、          １ａ      収納部、
１ｂ        開口部、                  １ｃ      ボス、
１ｄ        コンタクト、              １ｅ      ホールドダウン、
１ｆ        片側面、      
２          レバー、                  ２ａ      係合部、
２ｂ        導入部、                  ２ｃ      段部、
２ｄ        レバー本体、              ２ｅ      レバー先端部、
２ｆ        レバー基部、              ２ｇ      係合部、
２ｈ        レバー本体、              ２ｉ      半差し検知レバー、
２ｊ        差込完了検知レバー、      ２ｋ      一つ目の山、
２ｍ        二つ目の山、  
３，４      検知用コンタクト、          
１０        シムカード、              １０ａ          側面、  
１１        パット部、
１２        カット部、
１３        カードソケット、
１４        プリント基板、
１５        筐体若しくはバッテリー、
１６        スロープ兼ストッパ。
【図１】
2012079255.tif 000003
【図２】
2012079255.tif 000004
【図３】
2012079255.tif 000005
【図４】
2012079255.tif 000006
【図５】
2012079255.tif 000007
【図６】
2012079255.tif 000008
【図７】
2012079255.tif 000009